(57)【特許請求の範囲】
【請求項１】
複数の画像形成部と、
前記複数の画像形成部に対し共通に使用可能な画像処理部とを有し、
前記画像処理部は、
前記画像処理部に供給される電源の立ち上がり波形を読み取る波形識別ＩＣと、
電源電圧立ち上がり波形の特徴を示す波形情報を記録する記録素子と、
前記波形識別ＩＣを動作させるために必要な電池とで構成される接続機識別回路を有し、
前記波形識別ＩＣは、前記電源電圧波形の立ち上がりを検出し、前記記録素子に記録された前記波形情報に基づき、接続された画像形成部を識別し、前記記録素子に格納されている初期化データ群の中から接続された画像形成部に対応した画像処理部初期化データを読み取り、前記画像処理部の有するＩＣの初期化処理を行い、接続された画像形成部に対応した画像処理部ソフトウェアを記録素子より読み込む画像形成装置であって、
前記画像処理部に供給されている複数の電源電圧を前記波形識別ＩＣにて監視し、複数の電源電圧立ち上がり波形の情報を用い、接続された画像形成部を識別し、識別結果より前記画像処理部に設けられたＩＣの初期化処理を行うことを特徴とすることを特徴とする画像形成装置。
【請求項２】
前記画像形成装置の電源ＯＮ時の電源電圧立ち上がり波形と、前記記録素子に記録されたデータとを比較し、一致するパターンが無かった場合、画像処理部の起動シーケンスを中止することを特徴とする請求項１に記載の画像形成装置。
【請求項３】
前記画像形成装置の電源ＯＮ時の電源電圧立ち上がり波形と、前記記録素子に記録されたデータとを比較し、一致するパターンが無かった場合、一致するパターンが無かった場合用のＩＣ設定値を記録素子より読み込み、異常を知らせることを特徴とする請求項１に記載の画像形成装置。
【請求項４】
前記画像形成装置の電源ＯＮ時の電源電圧立ち上がり波形と、前記記録素子に記録されたデータとを比較し、一致するパターンが無かった場合、一致するパターンが無かった場合用のＩＣ設定値を前記記録素子より読み込み、ネットワークを通じて、外部サーバへ異常発生検知を発信することを特徴とする請求項１に記載の画像形成装置。
【請求項５】
ＬＥＤによって、接続されている画像形成部を識別し、識別結果を表示することを特徴とする請求項１に記載の画像形成装置。
【請求項６】
前記記録素子に記録されている機種ごとの初期化設定値を編集可能な操作部を有することを特徴とする請求項１に記載の画像形成装置。
【発明の詳細な説明】
【技術分野】
【０００１】
本発明は、装置起動直後のハードウェアの初期化設定を行う画像形成装置に関する。
【背景技術】
【０００２】
従来では、システム起動後に画像形成部と画像処理部で通信し、画像処理部側で接続された画像形成部を特定していた。
【０００３】
これに関連する技術を次に開示する。
【０００４】
例えば特許文献１では、画像形成部は共通化が計られており、同じ画像処理部を複数の画像形成部に対して使用することが可能である。
【特許文献１】特開２００７−１６６０７８号公報
【発明の開示】
【発明が解決しようとする課題】
【０００５】
しかし、ＰＷＢや、ＩＣなどの部品は全ての画像形成部に対して同じものが使用されているが、接続される画像形成部によって、画像処理部の持つＩ／Ｆの有効、無効設定や、Ｉ／Ｆの通信速度の設定、ＩＣの入力、出力信号の有効／無効などを切り替える必要があり、これらの設定は搭載されているＩＣに対し、ハードウェア的に初期化設定を行わなければならない場合がある。
【０００６】
この為、ＩＣの初期化設定の為のプルダウン抵抗やプルアップ抵抗の実装、非実装設定や、それに準ずるディップスイッチのＯＮ、ＯＦＦ設定などは、接続される画像形成部によって異なる。
【０００７】
これにより、画像処理部の完全な共通化は出来ておらず、接続される画像形成部に適した設定（抵抗の実装、非実装、ディップスイッチの設定など）を各画像処理部ごとに行う必要がある。
【０００８】
また、画像形成部と画像処理部間での通信が必要なため、画像形成部と画像処理部の双方に通信のためのソフトウェア、ハードウェアの実装が必要となる。
【０００９】
そこで、本発明では、装置起動直後のハードウェアの初期化設定を行う構成を画像処理部側のみに設ける画像形成装置を提供することを目的とする。
【課題を解決するための手段】
【００１０】
上記の目的を達成するため、本発明にかかる画像形成装置は、主要な特徴として、複数の画像形成部と、前記複数の画像形成部に対し共通に使用可能な画像処理部とを有し、前記画像処理部は、前記画像処理部に供給される電源の立ち上がり波形を読み取る波形識別ＩＣと、電源電圧立ち上がり波形の特徴を示す波形情報を記録する記録素子と、前記波形識別ＩＣを動作させるために必要な電池とで構成される接続機識別回路を有し、前記波形識別ＩＣは、前記電源電圧波形の立ち上がりを検出し、前記記録素子に記録された前記波形情報に基づき、接続された画像形成部を識別し、前記記録素子に格納されている初期化データ群の中から接続された画像形成部に対応した画像処理部初期化データを読み取り、前記画像処理部の有するＩＣの初期化処理を行い、接続された画像形成部に対応した画像処理部ソフトウェアを記録素子より読み込む画像形成装置であって、前記画像処理部に供給されている複数の電源電圧を前記波形識別ＩＣにて監視し、複数の電源電圧立ち上がり波形の情報を用い、接続された画像形成部を識別し、識別結果より前記画像処理部に設けられたＩＣの初期化処理を行う。
【発明の効果】
【００１１】
本発明によれば、装置起動直後のハードウェアの初期化設定を行う構成を画像処理部側のみに設け、装置起動後に、画像形成部と画像処理部間での通信をせずにハードウェアの初期化設定を行うことが可能な画像形成装置を提供できる。
【発明を実施するための最良の形態】
【００１２】
本発明は、以下に記載する従来の問題点を解決可能とする。
【００１３】
供給される電源電圧の異常による電子素子の異常動作や発火の危険性がある。
【００１４】
また、使用者自身が画像形成装置のメンテナンス会社へ連絡する必要があり手間がかかる。
【００１５】
また、電源電圧の異常や、回路基板の劣化などにより、偶然、現在接続されているものではない別の画像形成部と判断された場合、それにより誤ったＩＣの初期化設定がなされたまま動作を継続してしまう可能性がある。
【００１６】
また、開発段階による画像形成装置のシステムソフトがインストールされていない場合や、システム（ソフトウェア）がフリーズ、もしくは異常動作し、操作部に何も表示できない状態において、想定通り画像形成部の認識がなされているか否かがわからない。
【００１７】
また、ＰＣ、デバッグ治具によって、記録部に記録される値を設定するには、コマンドを入力し値を設定するというＣＵＩでの作業となり不便である。
【００１８】
また、前記ＰＣ、デバッグ治具を用意する必要がある。
【００１９】
さらに、単一の電源から画像形成部を識別するのでは、識別精度が低い。
【００２０】
上述した問題点を解決するにあたって、好適な画像形成装置の構成について図１、図２を用いて説明する。
図１、図２にそれぞれ、画像形成装置の構成、画像処理部に設けられた接続機識別回路とその接続先素子の概略図を示す。
なお、図１、図２は、本発明を実現する好適な構成を示したものであり、これに限定されることはなく、趣旨を逸脱しない範囲内において、変形、修正可能とする。
接続機識別回路は、波形識別子ＩＣ１０１、記録素子１０２および電池１０３を総称する。
【００２１】
図１に示すように、本実施形態にかかる画像形成装置は、画像処理部１００、画像形成部１２０、操作部１３０とを有する。
【００２２】
画像処理部１００は、波形識別子ＩＣ１０１と、記録素子１０２と、電池１０３と、Ｃｈｉｐｓｅｔ１０５と、ＲＡＭ１０６と、記録素子１０７と、Ｉ／Ｆ群１０８と、ＣＰＵ１０９と、第１ＡＳＩＣ１１０と、第２ＡＳＩＣ１１１とを有する。
【００２３】
電源電圧は、画像処理部１００、画像形成部１２０、操作部１３０とで共通に使用されている。画像処理部１００に接続される画像形成部１２０によって電源にかかる負荷は異なるため、電源電圧の立ち上がり波形の形状は異なる。
【００２４】
図２に示す本実施形態にかかる画像処理部における接続機識別回路、その接続先素子の一例として、波形識別子ＩＣ１０１と、記録素子１０２と、電池１０３とを有し、波形識別子ＩＣ１０１は、第１ＩＣ２０１と、第２ＩＣ２０２と、第３ＩＣ２０３と接続されている。
【００２５】
電源の投入時に、画像処理部１００に設けられた接続機識別回路により、電源電圧の立ち上がりを検知し、前記立ち上がり波形と、記録素子１０２に記録される波形情報に基づき、画像処理部１００に接続された画像形成部が何であるかを識別する。
【００２６】
以下に、上述した構成において、実施を行う好適な態様について説明する。
【００２７】
（第１実施形態）
本発明にかかる画像形成装置の第１の態様について図３を用いて説明する。
図３は、本実施形態にかかる画像形成装置の処理を示すフローチャート図である。
本実施形態は、画像形成装置の電源投入時から画像処理部に設けられたＩＣの初期化設定を行うまでの処理である。
【００２８】
使用者により、画像形成装置がＯＮされる（ステップＳ３０１）。
【００２９】
ステップＳ３０１の処理後、画像形成装置は、波形識別ＩＣ１０１にて電源電圧５Ｖの立ち上がりを検知する（ステップＳ３０２）。
【００３０】
ステップＳ３０２の処理で、電源電圧５Ｖの立ち上がり検知後、画像形成装置は、電源電圧５Ｖの立ち上がり波形と記録素子に格納されている波形情報との比較を行う（ステップＳ３０３）。
【００３１】
ステップＳ３０３の処理で、波形情報との比較後、画像形成装置は、波形情報との比較結果により、接続された画像形成部を特定する（ステップＳ３０４）。
【００３２】
ステップＳ３０４の処理で、接続された画像形成部の特定後、画像形成装置は、接続された画像形成部に対応した初期化設定値を記録素子から読み込む（ステップＳ３０５）。
【００３３】
ステップＳ３０５の処理で、画像形成部に対応した初期化設定値を記録素子から読み込んだ後、画像形成装置は、読み込んだ初期化設定値から波形識別子ＩＣ１０１からＩＣの設定Ｐｉｎへの出力を設定する（ステップＳ３０６）。
【００３４】
ステップＳ３０６の処理で、読み込んだ初期化設定値から波形識別子ＩＣ１０１からＩＣの設定Ｐｉｎへの出力を設定後、画像形成装置は、接続された画像形成部に対応したソフトウェアを記録素子より読み込む（ステップＳ３０７）。
【００３５】
ここで、波形情報に基づく識別とは、波形識別ＩＣ１０１にて監視している電源電圧を、波形識別ＩＣ１０１に内蔵されるＡ／Ｄコンバータによりデジタル値とし、例えばＦＦＴにより周波数成分を調べ、周波数成分ごとの強度をしらべ、電源電圧の立ち上がり波形の成分ごとの強度と、記録素子に記録された波形情報が、ある基準内で等しければ一致すると見なすことである。この状態を図４に示す。
【００３６】
また、より単純には、ある電圧値Ｖ1からある電圧値Ｖ2に達するまでの時間を、１
個、または複数個条件として設け、電源電圧立ち上がり波形のそれらの時間が、記録素子に記録された波形情報とある基準内に収まっていれば一致したと見なすことである。この状態を図５に示す。
【００３７】
ここで、図２に示した接続機識別回路によって、一致した波形情報より、接続されている画像形成部が何であるかを識別し、接続された画像形成部に対応した画像処理部初期化データを記録素子より読み取り、その値を元に、画像処理部に設けられたＩＣの初期化を行う。
【００３８】
ここで、ＩＣの初期化処理とは、ＩＣへの電源供給後にラッチされる、各設定ピンのプルアップ、プルダウン、開放処理のこと、また、接続された画像形成部に対応したソフトウェアプログラムを記録素子より読み込む事を指す。
【００３９】
本実施形態にかかる画像形成装置によれば、画像処理部を完全に共通化することが出来、接続される画像形成部によらず、全ての画像形成部に対して、電子素子の実装、記録素子へ記録されるソフトウェアを同じにすることが可能になる。
【００４０】
（第２の実施形態）
本発明にかかる画像形成装置の第２の態様について図６を用いて説明する。
図６は、本実施形態にかかる画像形成装置の処理を示すフローチャート図である。
本実施形態では、第１の実施形態において、電源電圧の立ち上がり波形と、記録素子１０２に記録される波形情報とを比較した結果、画像形成部の識別が出来なかった場合、画像処理部１００のシーケンスを中止する。
【００４１】
使用者により、画像形成装置がＯＮされる（ステップＳ６０１）。
【００４２】
ステップＳ６０１の処理後、画像形成装置は、波形識別ＩＣ１０１にて電源電圧５Ｖの立ち上がりを検知する（ステップＳ６０２）。
【００４３】
ステップＳ６０２の処理で、電源電圧５Ｖの立ち上がり検知後、画像形成装置は、電源電圧５Ｖの立ち上がり波形と記録素子１０２に格納されている波形情報との比較を行う（ステップＳ６０３）。
【００４４】
ステップＳ６０３の処理で、波形情報との比較後、画像形成装置は、電源電圧５Ｖの立ち上がり波形と、一致する波形情報があるか否かを判断する（ステップＳ６０４）。
【００４５】
ステップＳ６０４の処理で、電源電圧５Ｖの立ち上がり波形と、一致する波形情報がないと判断された場合（ステップＳ６０４／ＮＯ）、画像形成装置は、画像処理部１００の起動シーケンスを中止する（ステップＳ６０５）。
【００４６】
ステップＳ６０４の処理で、電源電圧５Ｖの立ち上がり波形と、一致する波形情報があると判断された場合（ステップＳ６０４／ＹＥＳ）、画像形成装置は、波形情報との比較結果により、接続された画像形成部を特定する（ステップＳ６０６）。
【００４７】
ステップＳ６０６の処理で、波形情報との比較結果により、接続された画像形成部を特定後、画像形成装置は、接続された画像形成部に対応した初期化設定値を記録素子１０２より読み込む（ステップＳ６０７）。
【００４８】
ステップＳ６０７の処理で、接続された画像形成部に対応した初期化設定値を記録素子１０２より読み込み後、画像形成装置は、読み込んだ設定値より、波形識別子ＩＣ１０１からＩＣの設定Ｐｉｎへの出力を設定する（ステップＳ６０８）。
【００４９】
ステップＳ６０８の処理で、読み込んだ初期化設定値から波形識別子ＩＣ１０１からＩＣの設定Ｐｉｎへの出力を設定後、画像形成装置は、接続された画像形成部に対応したソフトウェアを記録素子１０２より読み込む（ステップＳ６０９）。
【００５０】
ここで、起動シーケンスの中止とは波形情報が一致した場合はＨｉｇｈ出力を出し、一致しない場合はＬｏｗ出力を出すといった信号を、波形識別ＩＣ１０１の出力ピンに設け、前記信号がＨｉｇｈ出力なのかＬｏｗ出力なのかを画像処理部の起動条件に含めたうえで、前記ピンからＬｏｗ出力を行うことである。
【００５１】
本実施形態にかかる画像形成装置によれば、電源電圧の異常を初期の段階で検知し電圧異常での動作を防ぐ事が可能。また規定外の電源が供給される事での電子素子の寿命の短縮を抑える事ができる。
【００５２】
（第３の実施形態）
本発明にかかる画像形成装置の第３の態様について図７を用いて説明する。
図７に本実施形態にかかる画像形成装置の処理を示すフローチャート図である。
本実施形態では、第１の実施形態において、電源電圧の立ち上がり波形と、記録素子１０２に記録される波形情報とを比較した結果、画像形成部の識別が出来なかった場合、識別できなかった用の初期化データを記録素子１０２から読み込み、初期化を行う。
ここで、識別できなかった用の初期化データとは、ブザー、または操作部を動作させる事が可能な、ユーザーに通知するにあたって必要最低限の機能を画像処理装置にもたす初期化データである。
【００５３】
使用者により、画像形成装置がＯＮされる（ステップＳ７０１）。
【００５４】
ステップＳ７０１の処理後、画像形成装置は、波形識別ＩＣ１０１にて電源電圧５Ｖの立ち上がりを検知する（ステップＳ７０２）。
【００５５】
ステップＳ７０２の処理で、電源電圧５Ｖの立ち上がり検知後、画像形成装置は、電源電圧５Ｖの立ち上がり波形と記録素子１０２に格納されている波形情報との比較を行う（ステップＳ７０３）。
【００５６】
ステップＳ７０３の処理で、波形情報との比較後、画像形成装置は、電源電圧５Ｖの立ち上がり波形と、一致する波形情報があるか否かを判断する（ステップＳ７０４）。
【００５７】
ステップＳ７０４の処理で、電源電圧５Ｖの立ち上がり波形と、一致する波形情報がないと判断された場合（ステップＳ７０４／ＮＯ）、画像形成装置は、一致するパターンがなかった場合用の設定値を記録素子１０２より読み込む（ステップＳ７０５）。
【００５８】
ステップＳ７０４の処理で、電源電圧５Ｖの立ち上がり波形と、一致する波形情報があると判断された場合（ステップＳ７０４／ＹＥＳ）、画像形成装置は、波形情報との比較結果により、接続された画像形成部を特定する（ステップＳ７０６）。
【００５９】
ステップＳ７０６の処理で、波形情報との比較結果により、接続された画像形成部を特定後、画像形成装置は、接続された画像形成部に対応した初期化設定値を記録素子１０２より読み込む（ステップＳ７０７）。
【００６０】
ステップＳ７０７の処理で、接続された画像形成部に対応した初期化設定値を記録素子１０２より読み込み後、画像形成装置は、読み込んだ設定値より、波形識別子ＩＣ１０１からＩＣの設定Ｐｉｎへの出力を設定する（ステップＳ７０８）。
【００６１】
ステップＳ７０８の処理で、読み込んだ初期化設定値から波形識別子ＩＣ１０１からＩＣの設定Ｐｉｎへの出力を設定後、画像形成装置は、接続された画像形成部に対応したソフトウェアを記録素子１０２より読み込む（ステップＳ７０９）。
【００６２】
ステップＳ７０５の処理で、一致するパターンがなかった場合用の設定値を記録素子１０２より読み込んだ後、画像形成装置は、読み込んだ設定値より、波形識別子ＩＣ１０１からＩＣの設定Ｐｉｎへの出力を設定する（ステップＳ７１０）。
【００６３】
ステップＳ７１０の処理で、読み込んだ設定値より、波形識別子ＩＣ１０１からＩＣの設定Ｐｉｎへの出力を設定した後、画像形成装置が起動された際、操作部１３０、ブザーを用いて使用者へ異常事態を知らせる（ステップＳ７１１）。
【００６４】
本実施形態にかかる画像形成装置によれば、電源電圧の異常を初期の段階で検知し、使用者へ画像形成装置の異常を知らせる事ができる。
【００６５】
（第４の実施形態）
本発明にかかる画像形成装置の第４の態様について図８を用いて説明する。
図８は、本実施形態にかかる画像形成装置の処理を示すフローチャート図である。
本実施形態では、第１の実施形態において、電源電圧の立ち上がり波形と、記録素子１０２に記録される波形情報とを比較した結果、画像形成部の識別が出来なかった場合、識別できなかった用の初期化データを記録素子１０２から読み込み、初期化を行う。
ここで、識別できなかった用の初期化データとは、ネットワークにて外部サーバと通信し、該当画像形成装置の電源電圧異常を知らせるのに、必要最低限の機能を画像形成装置にもたらす初期化データである。
【００６６】
使用者により、画像形成装置がＯＮされる（ステップＳ８０１）。
【００６７】
ステップＳ８０１の処理後、画像形成装置は、波形識別ＩＣ１０１にて電源電圧５Ｖの立ち上がりを検知する（ステップＳ８０２）。
【００６８】
ステップＳ８０２の処理で、電源電圧５Ｖの立ち上がり検知後、画像形成装置は、電源電圧５Ｖの立ち上がり波形と記録素子１０２に格納されている波形情報との比較を行う（ステップＳ８０３）。
【００６９】
ステップＳ８０３の処理で、波形情報との比較後、画像形成装置は、電源電圧５Ｖの立ち上がり波形と、一致する波形情報があるか否かを判断する（ステップＳ８０４）。
【００７０】
ステップＳ８０４の処理で、電源電圧５Ｖの立ち上がり波形と、一致する波形情報がないと判断された場合（ステップＳ８０４／ＮＯ）、画像形成装置は、一致するパターンがなかった場合用の設定値を記録素子１０２より読み込む（ステップＳ８０５）。この際に、ネットワークを動作させるために必要最低限の設定を行う。
【００７１】
ステップＳ８０４の処理で、電源電圧５Ｖの立ち上がり波形と、一致する波形情報があると判断された場合（ステップＳ８０４／ＹＥＳ）、画像形成装置は、波形情報との比較結果により、接続された画像形成部を特定する（ステップＳ８０６）。
【００７２】
ステップＳ８０６の処理で、波形情報との比較結果により、接続された画像形成部を特定後、画像形成装置は、接続された画像形成部に対応した初期化設定値を記録素子１０２より読み込む（ステップＳ８０７）。
【００７３】
ステップＳ８０７の処理で、接続された画像形成部に対応した初期化設定値を記録素子１０２より読み込み後、画像形成装置は、読み込んだ設定値より、波形識別子ＩＣ１０１からＩＣの設定Ｐｉｎへの出力を設定する（ステップＳ８０８）。
【００７４】
ステップＳ８０８の処理で、読み込んだ初期化設定値から波形識別子ＩＣ１０１からＩＣの設定Ｐｉｎへの出力を設定後、画像形成装置は、接続された画像形成部に対応したソフトウェアを記録素子１０２より読み込む（ステップＳ８０９）。
【００７５】
ステップＳ８０５の処理で、一致するパターンがなかった場合用の設定値を記録素子１０２より読み込んだ後、画像形成装置は、読み込んだ設定値より、波形識別子ＩＣ１０１からＩＣの設定Ｐｉｎへの出力を設定する（ステップＳ８１０）。
【００７６】
ステップＳ８１０の処理で、読み込んだ設定値より、波形識別子ＩＣ１０１からＩＣの設定Ｐｉｎへの出力を設定後、画像形成装置は、ネットワーク通信準備後、異常事態発生をネットワーク越しにメンテナンス会社のサーバへと送信を行う（ステップＳ８１１）。
【００７７】
本実施形態にかかる画像形成装置によれば、使用者がメンテナンス会社へ連絡する手間が省ける。また、連絡した場合においても、メンテナンス会社側での、使用者の状況の把握が容易になる。
【００７８】
（第５の実施形態）
本発明にかかる画像形成装置の第５の態様について図９を用いて説明する。
図９は、本実施形態にかかる画像形成装置の処理を示すフローチャート図である。
本実施形態では、第１の実施形態において、電源電圧の立ち上がり波形と、記録素子１０２に記録される波形情報を基に接続された画像形成部を識別する。
画像形成部を識別後、識別された画像形成部が前回の起動時に識別された画像形成部と同じか、もしくは画像処理部１００の初の起動の場合は、記憶素子１０２より初期化データを読み取り、初起動であった場合は、認識した画像形成部が何であったかを次回起動時のために、記憶素子１０２へ書き込む。
読み込んだ設定値より初期化データに基づき、画像処理部に搭載されたＩＣの初期化処理を行う。
前回起動時に識別された画像形成部と異なった画像形成部と識別された場合、第２の実施形態、第３の実施形態および第４の実施形態で実施を行ったシーケンスの停止、または、ブザー、操作部による通知、ネットワークにて外部サーバへの異常事態の通知を行う。
【００７９】
使用者により、画像形成装置がＯＮされる（ステップＳ９０１）。
【００８０】
ステップＳ９０１の処理後、画像形成装置は、波形識別ＩＣ１０１にて電源電圧５Ｖの立ち上がりを検知する（ステップＳ９０２）。
【００８１】
ステップＳ９０２の処理で、電源電圧５Ｖの立ち上がり検知後、画像形成装置は、電源電圧５Ｖの立ち上がり波形と記録素子１０２に格納されている波形情報との比較を行う（ステップＳ９０３）。
【００８２】
ステップＳ９０３の処理で、波形情報との比較後、画像形成装置は、波形情報との比較結果により、接続された画像形成部を特定する（ステップＳ９０４）。
【００８３】
ステップＳ９０４の処理で、波形情報との比較結果により、接続された画像形成部を特定後、画像形成装置は、特定した画像形成部は、前回特定した画像形成部と同じか、または初期動か否かを判断する（ステップＳ９０５）。
【００８４】
ステップＳ９０５の処理で、特定した画像形成部が前回特定した画像形成部と違うと判断した場合（ステップＳ９０５／違う）、画像形成装置は、画像処理部１００の起動シーケンスを中止する（ステップＳ９０６）。または、一致するパターンがなかった場合用のＩＣ設定値を格納してある記録素子１０２より読み込み、設定値は、操作部１３０、ブザーを動作させるための必要最低限の設定を行う（ステップＳ９０７）。または、一致するパターンがなかった場合用のＩＣ設定値を格納してある記録素子１０２より読み込み、ネットワークを動作させるために必要最低限の設定を行う（ステップＳ９０８）。
【００８５】
ステップＳ９０５の処理で、特定した画像形成部は、前回特定した画像形成部と同じであると判断した場合（ステップＳ９０５／同じ、または初起動）、画像形成装置は、接続された画像形成部に対応した初期化設定値を記録素子１０２より読み込む（ステップＳ９０９）。
【００８６】
ステップＳ９０９の処理で、接続された画像形成部に対応した初期化設定値を記録素子１０２より読み込み後、画像形成装置は、今回の起動が初起動か否かを判断する（ステップＳ９１０）。
【００８７】
ステップＳ９１０の処理で、今回の起動が初起動であると判断した場合（ステップＳ９１０／ＹＥＳ）、認識した画像形成部を識別するための情報を記録素子１０２に書込みを行う（ステップＳ９１１）。
【００８８】
ステップＳ９１０の処理で、今回の起動が初起動ではないと判断した場合（ステップＳ９１０／ＮＯ）、および、ステップＳ９１１の処理で、認識した画像形成部を識別するための情報を記録素子１０２に書込みを行った後、画像形成装置は、ステップＳ９０９の処理で、読み込んだ初期化設定値、または、ステップＳ９１１の処理で書き込んだ初期化設定値から波形識別子ＩＣ１０１からＩＣの設定Ｐｉｎへの出力を設定を行う（ステップＳ９１２）。
【００８９】
ステップＳ９１２の処理で、読み込んだ初期化設定値から波形識別子ＩＣ１０１からＩＣの設定Ｐｉｎへの出力を設定後、画像形成装置は、接続された画像形成部に対応したソフトウェアを記録素子１０２より読み込む（ステップＳ９１３）。
【００９０】
ステップＳ９０７の処理で、一致するパターンがなかった場合用の設定値を記録素子１０２より読み込んだ後、画像形成装置は、読み込んだ設定値より、波形識別子ＩＣ１０１からＩＣの設定Ｐｉｎへの出力を設定する（ステップＳ９１４）。
【００９１】
ステップＳ９１４の処理で、読み込んだ設定値より、波形識別子ＩＣ１０１からＩＣの設定Ｐｉｎへの出力を設定した後、画像形成装置が起動された際、操作部１３０、ブザーを用いて使用者へ異常事態を知らせる（ステップＳ９１５）。
【００９２】
ステップＳ９０８の処理で、一致するパターンがなかった場合用の設定値を記録素子１０２より読み込んだ後、画像形成装置は、読み込んだ設定値より、波形識別子ＩＣ１０１からＩＣの設定Ｐｉｎへの出力を設定する（ステップＳ９１６）。
【００９３】
ステップＳ９１６の処理で、読み込んだ設定値より、波形識別子ＩＣ１０１からＩＣの設定Ｐｉｎへの出力を設定後、画像形成装置は、ネットワーク通信準備後、異常事態発生をネットワーク越しにメンテナンス会社のサーバへと送信を行う（ステップＳ９１７）。
【００９４】
本実施形態にかかる画像形成装置によれば、ＩＣへの誤った初期化設定を事前に防ぎ、初期化設定間違いでの異常動作を防ぐ事ができる。
【００９５】
（第６の実施形態）
本発明にかかる画像形成装置の第６の態様について図１０を用いて説明する。
図１０は、本実施形態にかかる画像形成装置の処理を示すフローチャート図である。
本実施形態では、第１の実施形態において、記録される波形情報を基に接続された画像形成部を識別する。
画像形成部を識別された画像形成部が何であるかを識別可能なよう、ＬＥＤへ画像形成部特有のコードを表示させる。また、一致する画像形成部が見つからなかった場合は、一致する画像形成部が見つからなかった場合のコードをＬＥＤにて表示させる。
【００９６】
使用者により、画像形成装置がＯＮされる（ステップＳ１００１）。
【００９７】
ステップＳ１００１の処理後、画像形成装置は、波形識別ＩＣ１０１にて電源電圧５Ｖの立ち上がりを検知する（ステップＳ１００２）。
【００９８】
ステップＳ１００２の処理で、電源電圧５Ｖの立ち上がり検知後、画像形成装置は、電源電圧５Ｖの立ち上がり波形と記録素子１０２に格納されている波形情報との比較を行う（ステップＳ１００３）。
【００９９】
ステップＳ１００３の処理で、波形情報との比較後、画像形成装置は、電源電圧５Ｖの立ち上がり波形と、一致する波形情報があるか否かを判断する（ステップＳ１００４）。
【０１００】
ステップＳ１００４の処理で、電源電圧５Ｖの立ち上がり波形と、一致する波形情報がないと判断された場合（ステップＳ１００４／ＮＯ）、画像形成装置は、一致するパターンがなかった場合用の設定値を記録素子１０２より読み込む（ステップＳ１００５）。
【０１０１】
ステップＳ１００４の処理で、電源電圧５Ｖの立ち上がり波形と、一致する波形情報があると判断された場合（ステップＳ１００４／ＹＥＳ）、画像形成装置は、波形情報との比較結果により、接続された画像形成部を特定する（ステップＳ１００６）。
【０１０２】
ステップＳ１００６の処理で、波形情報との比較結果により、接続された画像形成部を特定後、画像形成装置は、接続された画像形成部に対応した初期化設定値を記録素子１０２より読み込む（ステップＳ１００７）。
【０１０３】
ステップＳ１００７の処理で、接続された画像形成部に対応した初期化設定値を記録素子１０２より読み込み後、画像形成装置は、読み込んだ設定値より、波形識別子ＩＣ１０１からＩＣの設定Ｐｉｎへの出力を設定する（ステップＳ１００８）。
【０１０４】
ステップＳ１００８の処理で、読み込んだ初期化設定値から波形識別子ＩＣ１０１からＩＣの設定Ｐｉｎへの出力を設定後、画像形成装置は、接続された画像形成部に対応したソフトウェアを記録素子１０２より読み込む（ステップＳ１００９）。
【０１０５】
ステップＳ１００５の処理で、一致するパターンがなかった場合用の設定値を記録素子１０２より読み込んだ後、画像形成装置は、読み込んだ設定値より、波形識別子ＩＣ１０１から画像形成部が不明であることを示すコードをＬＥＤへ出力する（ステップＳ１０１０）。
【０１０６】
本実施形態にかかる画像形成装置によれば、ＬＥＤ表示によって、システムソフトウェアが動作していない段階においても、接続されている画像形成部の認識が正しいのか、
誤っているのかの確認が可能となる。
【０１０７】
（第７の実施形態）
本発明にかかる画像形成装置の第７の態様について図１１を用いて説明する。
図１１は、本実施形態にかかる画像形成装置の処理を示すフローチャート図である。
本実施形態では、第１の実施形態において、画像形成装置起動後、操作部より、開発やサービスの人間のみが入ることが出来る特別なモードにて、記憶装置（記録素子）に記録されているＩＣ初期化データの編集を可能とする。
【０１０８】
使用者により、画像形成装置がＯＮされる（ステップＳ１１０１）。
【０１０９】
ステップＳ１１０１の処理後、画像形成装置は、予め登録してある利用者による操作であるか否かの判断を行う（ステップＳ１１０２）。
【０１１０】
ステップＳ１１０２の処理で、予め登録してある利用者による操作ではないと判断した場合（ステップＳ１１０２／ＮＯ）、画像形成装置は、通常モードを維持する（ステップＳ１１０３）。
【０１１１】
ステップＳ１１０２の処理で、予め登録してある利用者による操作であると判断した場合（ステップＳ１１０２／ＹＥＳ）、画像形成装置は、ＩＣ初期化データ編集モードに移行する（ステップＳ１１０４）。
【０１１２】
ステップＳ１１０４の処理で、ＩＣ初期化データ編集モードに移行後、画像形成装置は、登録利用者によるＩＣ初期化データ編集モードを操作部１３０によって可能とする（ステップＳ１１０５）。
【０１１３】
ステップＳ１１０５の処理で、登録利用者によるＩＣ初期化データ編集モードを操作部によって可能とした後、利用者は、画像形成装置の電源をＯＦＦにする（ステップＳ１１０６）。この時、ＩＣ初期化データ編集は、機種ごとに行うことができる。
【０１１４】
使用者により、再び画像形成装置がＯＮされる（ステップＳ１１０７）。
【０１１５】
ステップＳ１１０７の処理後、画像形成装置は、波形識別ＩＣ１０１にて電源電圧５Ｖの立ち上がりを検知する（ステップＳ１１０８）。
【０１１６】
ステップＳ１１０８の処理で、電源電圧５Ｖの立ち上がり検知後、画像形成装置は、電源電圧５Ｖの立ち上がり波形と記録素子１０２に格納されている波形情報との比較を行う（ステップＳ１１０９）。
【０１１７】
ステップＳ１１０９の処理で、波形情報との比較後、画像形成装置は、電源電圧５Ｖの立ち上がり波形と、一致する波形情報があるか否かを判断する（ステップＳ１１１０）。
【０１１８】
ステップＳ１１１０の処理で、電源電圧５Ｖの立ち上がり波形と、一致する波形情報がないと判断された場合（ステップＳ１１１０／ＮＯ）、画像形成装置は、一致するパターンがなかった場合用の設定値を記録素子１０２より読み込む（ステップＳ１１１１）。
【０１１９】
ステップＳ１１１０の処理で、電源電圧５Ｖの立ち上がり波形と、一致する波形情報があると判断された場合（ステップＳ１１１０／ＹＥＳ）、画像形成装置は、波形情報との比較結果により、接続された画像形成部を特定する（ステップＳ１１１２）。
【０１２０】
ステップＳ１１１２の処理で、波形情報との比較結果により、接続された画像形成部を特定後、画像形成装置は、ステップＳ１１０５の処理で、登録利用者によって編集したＩＣ初期化データの中から接続された画像形成部に対応した初期化設定値を記録素子１０２より読み込む（ステップＳ１１１３）。
【０１２１】
ステップＳ１１１０の処理で、接続された画像形成部に対応した初期化設定値を記録素子１０２より読み込み後、画像形成装置は、読み込んだ設定値より、波形識別子ＩＣ１０１からＩＣの設定Ｐｉｎへの出力を設定する（ステップＳ１１１４）。
【０１２２】
ステップＳ１１１４の処理で、読み込んだ初期化設定値から波形識別子ＩＣ１０１からＩＣの設定Ｐｉｎへの出力を設定後、画像形成装置は、接続された画像形成部に対応したソフトウェアを記録素子１０２より読み込む（ステップＳ１１１５）。
【０１２３】
本実施形態にかかる画像形成装置によれば、操作部１３０より、記録部（記録素子１０２）に記録される各ＩＣの設定値の変更を可能とすることで、ＧＵＩによる設定が可能となり利便性の向上が計れる。
また、通常、ＩＣの値を初期化するのに必要な、ＰＣ、デバッグ治具を用意する手間が省ける。
【０１２４】
（第８の実施形態）
本発明にかかる画像形成装置の第５の態様について図１２を用いて説明する。
図１２は、本実施形態にかかる画像形成装置の処理を示すフローチャート図である。
本実施形態では、第１の実施形態において、波形識別ＩＣ１０１による監視電圧対象を複数とし、それら複数の電源電圧立ち上がり波形の情報と、記録素子１０２に記録された波形情報を基に、接続された画像形成部を識別し、画像処理部に設けられたＩＣの初期化処理を行う。
【０１２５】
使用者により、画像形成装置がＯＮされる（ステップＳ１２０１）。
【０１２６】
ステップＳ１２０１の処理後、画像形成装置は、波形識別ＩＣ１０１にて複数の電源電圧値における立ち上がりを検知する（ステップＳ１２０２）。
【０１２７】
ステップＳ１２０２の処理で、複数の電源電圧値における立ち上がり検知後、画像形成装置は、複数の電源電圧値における立ち上がり波形と記録素子１０２に格納されている波形情報との比較を行う（ステップＳ１２０３）。
【０１２８】
ステップＳ１２０３の処理で、波形情報との比較後、画像形成装置は、検知した複数の電源電圧値における立ち上がり波形と、一致する波形情報があるか否かを判断する（ステップＳ１２０４）。
【０１２９】
ステップＳ１２０４の処理で、複数の電源電圧値における立ち上がり波形と、一致する波形情報がないと判断された場合（ステップＳ１２０４／ＮＯ）、画像形成装置は、一致するパターンがなかった場合用の設定値を記録素子１０２より読み込む（ステップＳ１２０５）。この際に、ネットワークを動作させるために必要最低限の設定を行う。
【０１３０】
ステップＳ１２０４の処理で、複数の電源電圧値における立ち上がり波形と、一致する波形情報があると判断された場合（ステップＳ１２０４／ＹＥＳ）、画像形成装置は、波形情報との比較結果により、接続された画像形成部を特定する（ステップＳ１２０６）。
【０１３１】
ステップＳ１２０６の処理で、波形情報との比較結果により、接続された画像形成部を特定後、画像形成装置は、接続された画像形成部に対応した初期化設定値を記録素子１０２より読み込む（ステップＳ１２０７）。
【０１３２】
ステップＳ１２０７の処理で、接続された画像形成部に対応した初期化設定値を記録素子１０２より読み込み後、画像形成装置は、読み込んだ設定値より、波形識別子ＩＣ１０１からＩＣの設定Ｐｉｎへの出力を設定する（ステップＳ１２０８）。
【０１３３】
ステップＳ１２０８の処理で、読み込んだ初期化設定値から波形識別子ＩＣ１０１からＩＣの設定Ｐｉｎへの出力を設定後、画像形成装置は、接続された画像形成部に対応したソフトウェアを記録素子１０２より読み込む（ステップＳ１２０９）。
【０１３４】
ステップＳ１２０５の処理で、一致するパターンがなかった場合用の設定値を記録素子１０２より読み込んだ後、画像形成装置は、読み込んだ設定値より、波形識別子ＩＣ１０１からＩＣの設定Ｐｉｎへの出力を設定する（ステップＳ１２１０）。
【０１３５】
本実施形態にかかる画像形成装置によれば、単一の電源から画像形成部を識別するよりも、複数電源電圧の情報を用いて画像形成部を識別する方が、識別精度があがる。
【図面の簡単な説明】
【０１３６】
【図１】本発明にかかる画像形成装置の構成の一例を示す図である。
【図２】本発明にかかる画像処理部における接続機識別回路の構成の一例を示す図である。
【図３】第１の実施形態にかかる画像形成装置の処理を示すフローチャート図である。
【図４】第１の実施形態にかかる画像形成装置において、デジタル値と、周波数強度によって電源電圧の立ち上がり波形と、記録素子に格納してある波形情報との比較している図である。
【図５】第１の実施形態にかかる画像形成装置において、電源電圧の値と、その値に達するまでの時間によって電源電圧の立ち上がり波形と、記録素子に格納してある波形情報との比較している図である。
【図６】第２の実施形態にかかる画像形成装置の処理を示すフローチャート図である。
【図７】第３の実施形態にかかる画像形成装置の処理を示すフローチャート図である。
【図８】第４の実施形態にかかる画像形成装置の処理を示すフローチャート図である。
【図９】第５の実施形態にかかる画像形成装置の処理を示すフローチャート図である。
【図１０】第６の実施形態にかかる画像形成装置の処理を示すフローチャート図である。
【図１１】第７の実施形態にかかる画像形成装置の処理を示すフローチャート図である。
【図１２】第８の実施形態にかかる画像形成装置の処理を示すフローチャート図である。
【符号の説明】
【０１３７】
１００    画像処理部
１０１    波形識別子ＩＣ
１０２    記録素子
１０３    電池
１０５    Ｃｈｉｐｓｅｔ
１０６    ＲＡＭ
１０７    記録素子
１０８    Ｉ／Ｆ群
１０９    ＣＰＵ
１１０    第１ＡＳＩＣ
１１１    第２ＡＳＩＣ
１２０    画像形成部
１３０    操作部
２０１    第１ＩＣ
２０２    第２ＩＣ
２０３    第３ＩＣ
【図１】
0005167777.tif 000002
【図２】
0005167777.tif 000003
【図３】
0005167777.tif 000004
【図４】
0005167777.tif 000005
【図５】
0005167777.tif 000006
【図６】
0005167777.tif 000007
【図７】
0005167777.tif 000008
【図８】
0005167777.tif 000009
【図９】
0005167777.tif 000010
【図１０】
0005167777.tif 000011
【図１１】
0005167777.tif 000012
【図１２】
0005167777.tif 000013